(57)【要約】      （修正有）【課題】脚立を用いた所定の作業の作業効率を向上させ、脚立に容易且つ強固に取り付けることができる脚立用作業台を提供する。【解決手段】脚立用作業台１は、脚立２に取り付けて使用される。この脚立用作業台１は、所定の作業道具が載置される載置板１２が形成された本体部１１と、本体部１１に設けられた開口であって、脚立２がハの字状に開脚された使用状態において脚立２の上部２ａが挿入されることで、脚立２との係合状態を形成する開口部１３と、を備える。そして、載置板１２は、開口部１３に脚立２の上部２ａが挿入された状態において脚立２の踏み板２１が延在する延在方向と略平行に、開口部１３と隣接して配置される。【選択図】図１
0003232840.tif 000002
【実用新案登録請求の範囲】
【請求項１】
脚立に取り付けて使用される脚立用作業台であって、
所定の作業道具が載置される載置板が形成された本体部と、
前記本体部に設けられた開口であって、前記脚立がハの字状に開脚された使用状態において該脚立の上部が挿入されることで、該脚立との係合状態を形成する開口部と、
を備え、
前記載置板は、前記開口部に前記脚立の上部が挿入された状態において該脚立の踏み板が延在する延在方向と略平行に、前記開口部と隣接して配置される、
脚立用作業台。
【請求項２】
前記本体部は、Ｌ字型の金属板の組合せによって構成され、
前記載置板は、前記金属板による枠組に透明板が配置されることで形成される、
請求項１に記載の脚立用作業台。
【請求項３】
前記開口部の周縁に配置された弾性部材を、更に備える、
請求項１又は請求項２に記載の脚立用作業台。
【考案の詳細な説明】
【技術分野】
【０００１】
本考案は、脚立用の作業台に関し、詳しくは、脚立を用いての作業時に必要となる部材、工具等を身近に置くための脚立用作業台に関する。
【背景技術】
【０００２】
従来から、壁面や天井等に関係する工事において、作業者は、脚立上で作業を行うことが多い。そして、このような工事では、作業中に部材や工具が必要となることがある。この場合、作業者は、少量の部材や小物等をポケット等に収納して作業を行なったり、簡単な工具を直接ベルトに装着して、または部材や工具を収納した工具ホルダをベルトに装着して作業を行ったりしている。
【０００３】
しかしながら、このように部材や工具等をベルトに装着する方式で、例えば、ベルトに装着した工具ホルダにこれらを収納したとしても、収納できるものの大きさや量に制限があり、必要となるものの全てを収納することはできない。そこで、部材や工具を収納する工具箱を脚立に取り付けることが考えられる。
【０００４】
例えば、特許文献１には、脚立を用いる高所作業時に必要となる一式の工具を収納することができる工具収納箱を、脚立に取り付ける技術が開示されている。
【先行技術文献】
【特許文献】
【０００５】
【特許文献１】特許第３６１７０２１号公報
【考案の概要】
【考案が解決しようとする課題】
【０００６】
従来から行われている脚立を使用しての高所作業では、作業に必要な部材や工具を脚立から下りて取りに行くことが頻繁に行われている。そして、このように脚立の上り下りを頻繁に行うことは、作業効率を著しく低下させる。更に、このような脚立の上り下りは、作業者を疲労させるだけでなく、落下の危険性を増大させる。
【０００７】
ここで、特許文献１に記載の技術によれば、脚立に取り付けられた工具収納箱に、脚立を用いる高所作業時に必要となる一式の工具を収納しておくことで、脚立の上り下りの回数を減らすことができ、作業者の負担を軽減できるようにも思われる。しかしながら、特許文献１に記載の工具収納箱は、ブラケットを介してボルトナットによって脚立に固定される片持ち構造であって、重量物を収納させるには不向きである。また、この工具収納箱は、作業者が脚立を用いた作業を開始するときには、該脚立の脚を開いた後にボルトナットで締結され、作業者が脚立を用いた作業を終了するときには、該脚立の脚を閉じる前にボルトナットの締結が解除される必要がある。そのため、脚立への取り付けおよび取り外し作業に手間を要する。そして、脚立を用いた所定の作業の作業効率を向上させる技術については、未だ改良の余地を残すものである。
【０００８】
本開示の目的は、脚立を用いた所定の作業の作業効率を向上させる作業台について、脚立に容易且つ強固に取り付けることができる作業台を提供することにある。
【課題を解決するための手段】
【０００９】
本開示の脚立用作業台は、脚立に取り付けて使用される脚立用作業台である。この脚立用作業台は、所定の作業道具が載置される載置板が形成された本体部と、前記本体部に設けられた開口であって、前記脚立がハの字状に開脚された使用状態において該脚立の上部が挿入されることで、該脚立との係合状態を形成する開口部と、を備える。そして、前記載置板は、前記開口部に前記脚立の上部が挿入された状態において該脚立の踏み板が延在する延在方向と略平行に、前記開口部と隣接して配置される。
【００１０】
上記の脚立用作業台では、載置板が形成された本体部に開口が設けられており、該開口に脚立の上部が挿入されることで、作業台が脚立に固定される。詳しくは、脚立が使用される使用状態では、該脚立はハの字状に開脚される。そのため、作業台の開口部に、このような使用状態の脚立の上部を挿入していくと、作業台の開口部と、開脚された脚立の所定の部分と、が接触し、開口部に脚立をそれ以上挿入できなくなる。つまり、これによって、作業台と脚立とが係合されることになる。これによれば、作業台を脚立に強固に取り付けることができる。また、このような作業台は、使用状態の脚立の上部に挿入されるだけで取り付けられるので、作業台を脚立に容易に取り付けることができる。そして、上記の脚立用作業台によれば、作業に使用する部材や工具等の作業道具が載置される載置板が脚立の上部側に配置されることになるため、作業者は、作業道具の交換等のために脚立を上り下りする必要がなくなる。したがって、脚立を用いた所定の作業（例えば、壁面や天井等に関係する工事）の作業効率を向上させることができ、また、作業者の負担の軽減や転倒事故の抑止に寄与する。つまり、本開示の脚立用作業台によれば、脚立を用いた所定の作業の作業効率を向上させることができ、且つ、これを実現する作業台を脚立に容易且つ強固に取り付けることができる。なお、上記の脚立用作業台では、載置板が、開口部に脚立の上部が挿入された状態において該脚立の踏み板が延在する延在方向と略平行に、開口部と隣接して配置される。これによれば、作業者が脚立の踏み板の正面から該脚立に上っていくときに、載置板が障害物となってしまう事態が抑制されるため、作業者の利便性が向上する。
【００１１】
ここで、本開示の脚立用作業台では、上記の構成において、前記本体部は、Ｌ字型の金属板の組合せによって構成されてもよい。これによれば、汎用の部品に対する簡単な加工（板の切断や接合等）のみで作業台を構成することができる。そのため、脚立を用いた作業効率を向上させ、且つ脚立に容易且つ強固に取り付けることができる作業台を、低コストで提供することが可能となる。また、前記載置板は、前記金属板による枠組に透明板が配置されることで形成されてもよい。これによれば、作業道具が載置された載置板の下方から、該載置板に載置されている作業道具を視認することが可能となる。つまり、脚立に上って作業している作業者だけでなく地上の作業者も、載置板に載置されている作業道具を視認することができる。これによれば、例えば、脚立を用いた作業に使用される部材の残量を地上の作業者が確認できるため、地上の作業者は、該部材が不足する前に補充の準備をすることができ、以て、脚立を用いた作業の作業効率を向上させることができる。
【００１２】
また、以上に述べた脚立用作業台において、前記開口部の周縁に配置された弾性部材を、更に備えてもよい。ここで、弾性部材とは、例えば、ゴム等の比較的大きな弾性率を有する材料で形成された部材である。これによれば、作業台の開口部に使用状態の脚立の上部を挿入していくと、開口部の周縁に配置された弾性部材と、開脚された脚立と、が接触することになる。そうすると、作業者は、弾性部材の変形の程度を調整することで、作業台の固定位置を微調整することができ、以て、作業者の利便性が向上される。
【考案の効果】
【００１３】
本開示によれば、脚立を用いた所定の作業の作業効率を向上させる作業台について、脚立に容易且つ強固に取り付けることができる作業台を提供することができる。
【図面の簡単な説明】
【００１４】
【図１】実施形態における脚立用作業台の概略構成を示す図である。
【図２】脚立用作業台の脚立への取り付け方法を説明するための図である。
【図３】金属板による枠組に配置されることで形成される載置板について、説明するための図である。
【図４】脚立用作業台の開口部の周縁に配置され得る弾性部材について、説明するための図である。
【図５】変形例における脚立用作業台の概略構成を示す図である。
【考案を実施するための形態】
【００１５】
以下、図面に基づいて、本開示の実施の形態を説明する。以下の実施形態の構成は例示であり、本開示は実施形態の構成に限定されない。
【００１６】
本実施形態における脚立用作業台の概要について、図１を参照しながら説明する。図１は、本実施形態における脚立用作業台の概略構成を示す図である。本実施形態に係る脚立用作業台１は、脚立２に取り付けて使用される脚立用作業台である。この脚立用作業台１は、所定の作業道具が載置される載置板１２が形成された本体部１１と、本体部１１に設けられた開口部１３と、を備える。ここで、上記の作業道具は、脚立２を用いた所定の作業（例えば、壁面や天井等に関係する工事）に使用する部材や工具等である。
【００１７】
そして、開口部１３は、図１に示すように、脚立２がハの字状に開脚された使用状態において該脚立の上部２ａが挿入されることで、該脚立２との係合状態を形成する。これについて、図２に基づいて以下に説明する。
【００１８】
図２は、脚立用作業台１の脚立２への取り付け方法を説明するための図である。図２に示すように、脚立用作業台１の開口部１３に脚立の上部２ａが挿入される。ここで、脚立２がハの字状に開脚された使用状態では、脚立の上部２ａから脚立の下部２ｂに向かって、踏み板２１と脚２２とによって構成される梯子部分間の幅が広がっている。そのため、脚立用作業台１の開口部１３に、このような使用状態の脚立の上部２ａを挿入していくと、脚立用作業台１の開口部１３と、開脚された脚立２の所定の部分と、が接触し、開口部１３に脚立２をそれ以上挿入できなくなる。つまり、これによって、脚立用作業台１と脚立２とが係合されることになる。
【００１９】
ここで、開口部１３の大きさは、脚立２のバリエーションに応じて予め設定され得る。例えば、脚立２の天板の高さが３ｍ以上となる大型の脚立では、開口部１３は、９０ｃｍ四方の開口とされる。また、これよりも小さな脚立（例えば、脚立２の天板の高さが１ｍ８０ｃｍ）では、開口部１３は、上記よりも小さな開口とされる。このように、脚立２のバリエーションに応じて開口部１３の大きさが設定されることで、作業道具が載置される載置板１２が脚立の上部２ａ側の所定の位置に配置されることになるため、作業者は、作業道具の交換等のために脚立２を上り下りする必要がなくなる。
【００２０】
そして、このような脚立用作業台１の取り付け方法によれば、作業台を脚立２に強固に取り付けることができる。また、このような脚立用作業台１は、使用状態の脚立の上部２ａに挿入されるだけで取り付けられるので、作業台を脚立２に容易に取り付けることができる。
【００２１】
また、図１に戻って、脚立用作業台１の載置板１２は、開口部１３に脚立の上部２ａが挿入された状態において該脚立の踏み板２１が延在する延在方向と略平行に、開口部１３と隣接して配置される。これによれば、作業者が脚立２の踏み板２１の正面から該脚立２に上っていくときに、載置板１２が障害物となってしまう事態が抑制される。そして、このように構成される脚立用作業台１によれば、作業道具が載置される載置板１２が作業者の身近に配置され、作業者が作業道具の交換等のために脚立２を上り下りする必要がなくなることで、作業効率が向上せしめられるだけでなく、作業者の利便性も向上させることができる。
【００２２】
なお、上記の構成において、脚立用作業台１の本体部１１は、Ｌ字型の金属板の組合せによって構成されてもよい。詳しくは、汎用のＬ字型の金属板を切断して組合せることで、本体部１１の外枠を形成することができる。そして、この外枠における一対の長辺の間を、該外枠を構成する短辺と同じ長さの金属板で繋ぐことで、開口部１３の周縁を形成することができる。なお、これら金属板の接合は、ボルトナットによる締結や溶接などの周知の技術によって実現され得る。これによれば、汎用の部品に対する簡単な加工（板の切断や接合等）のみで脚立用作業台１を構成することができる。そのため、脚立２を用いた作業効率を向上させ、且つ脚立２に容易且つ強固に取り付けることができる脚立用作業台１を、低コストで提供することが可能となる。
【００２３】
そして、このように構成される脚立用作業台１において、載置板１２は、上記の金属板による枠組に所定の板が配置されることで形成され得る。これについて、図３に基づいて以下に説明する。
【００２４】
図３は、金属板による枠組に配置されることで形成される載置板１２について、説明するための図である。上述したように、本体部１１の外枠における一対の長辺の間を金属板で繋ぐことで開口部１３の周縁が形成されると、それと同時に載置板１２を配置するための枠組も形成されることになる。そして、図３に示すように、この枠組１２ａに所定の板を配置することで、載置板１２を形成することができる。
【００２５】
ここで、載置板１２は、上記の枠組１２ａに透明板が配置されることで形成されてもよい。なお、透明板とは、アクリル等の透明な材料で形成された板である。これによれば、作業道具が載置された載置板１２の下方から、該載置板１２に載置されている作業道具を視認することが可能となる。つまり、脚立２に上って作業している作業者だけでなく地上の作業者も、載置板１２に載置されている作業道具を視認することができる。これによれば、例えば、脚立２を用いた作業に使用される部材の残量を地上の作業者が確認できるため、地上の作業者は、該部材が不足する前に補充の準備をすることができ、以て、脚立２を用いた作業の作業効率を向上させることができる。
【００２６】
また、以上に述べた脚立用作業台１において、開口部１３の周縁に配置された弾性部材を、更に備えてもよい。これについて、図４に基づいて以下に説明する。
【００２７】
図４は、脚立用作業台１の開口部１３の周縁に配置され得る弾性部材について、説明するための図である。ここで、上述したように、開口部１３の大きさは、脚立２のバリエーションに応じて予め設定され得るが、作業者は、使用する脚立２に応じて開口部１３の大きさを微調整すること、つまり、脚立用作業台１の固定位置を使用する脚立２に応じて微調整することを望む場合がある。そこで、図４に示すように、脚立用作業台１の開口部１３の周縁に弾性部材１４が配置されてもよい。ここで、弾性部材１４は、ゴム等の比較的大きな弾性率を有する材料で形成された部材である。これによれば、脚立用作業台１の開口部１３に使用状態の脚立の上部２ａを挿入していくと、開口部１３の周縁に配置された弾性部材１４と、開脚された脚立２と、が接触することになる。そうすると、作業者は、弾性部材１４の変形の程度を調整することで（例えば、弾性部材１４をより大きく変形させたい場合には、より強い力で脚立用作業台１を挿入することで）、脚立用作業台１の固定位置を微調整することができ、以て、作業者の利便性が向上される。
【００２８】
以上に述べた脚立用作業台によれば、脚立を用いた所定の作業の作業効率を向上させる作業台について、脚立に容易且つ強固に取り付けることができる作業台を提供することができる。
【００２９】
＜その他の変形例＞
上記の実施形態はあくまでも一例であって、本開示はその要旨を逸脱しない範囲内で適宜変更して実施しうる。例えば、本開示において説明した処理や手段は、技術的な矛盾が生じない限りにおいて、自由に組み合わせて実施することができる。
【００３０】
例えば、本開示の脚立用作業台において、載置板を補助的に支持するための支持部材が更に備えられてもよい。図５は、本変形例における脚立用作業台の概略構成を示す図である。
【００３１】
図５に示すように、本変形例に係る脚立用作業台１は、本体部１１の外枠を構成する一対の短辺を地面から支持する支持棒３を更に備えている。ここで、支持棒３は、例えば、伸縮自在に構成された周知の突っ張り棒である。これによれば、作業道具が載置された載置板１２を支持棒３によって補助的に支持することができるため、仮に、該載置板１２に重量物が載置されたとしても、脚立用作業台１の傾き等が抑制される。
【符号の説明】
【００３２】
１・・・・・脚立用作業台
１１・・・・本体部
１２・・・・載置板
１３・・・・開口部
２・・・・・脚立
２ａ・・・・脚立の上部
２１・・・・踏み板
【図１】
0003232840.tif 000003
【図２】
0003232840.tif 000004
【図３】
0003232840.tif 000005
【図４】
0003232840.tif 000006
【図５】
0003232840.tif 000007